Podtech/llm-jp-corpus-v4-ja_patent huggingface dataset:
(57)【要約】【課題】  布団を二つ折りにして竿などに干した時に、布団の内側へ通風するための布団干し具を提供する。【解決手段】  固定部〈１〉に支持部〈２〉と布団当たり面〈３〉を設け、裏面〈４〉に自在棒〈５〉とストッパー〈６〉と止め具〈９〉を設けたことを特徴とする。【選択図】    図１
2005312866.tif 000002
【特許請求の範囲】
【請求項１】
固定部〈１〉に支持部〈２〉と布団当たり面〈３〉を設け、裏面〈４〉に自在棒〈５〉とストッパー〈６〉と止め具〈９〉を設けてなる布団干し用具。
【発明の詳細な説明】
【技術分野】
【０００１】  この発明は、布団を二つ折りにして竿などに干した時に、布団の内側へ通風するための布団于し具に関するものである。
【背景技術】
【０００２】  特許公開２０００−２０２１９１号や、実用新案公開平６−４６６９１号の開示したものがある。いずれも通風を得るための発明、考案である。今日の様に、働く女性が多くなり主婦の半分が仕事をもつようになると、日々忙しく、いかに短時間で、気持ちよく、布団の湿気を取ることが出来るかは重要である。また、この頃は、体に軽い布団が主流となり、羽毛布団のように日蔭干しが表示されているものもある。これらの場合、充分な通風とやさしい干し方ができる布団干し具が求められる。
【発明の開示】
【発明が解決しようとする課題】
【０００３】  これは次のような欠点があった。
布団の内側を、布団干し具で強制的に開く構造である。また布団干し具と布団の当たり面が小さく、そのぶん布団への当たりが強くなり、布、綿、羽毛等に負担がかかる。また、当たり面が小さいと、通風も少くなる。なお収納時に場所をとるものもあった。
本発明は、これらの欠点を解決するためになされたものである。
【課題を解決するための手段】
【０００４】  固定部〈１〉に角度を持たせて外に広がる支持部〈２〉〈２〉を設ける。支持部〈２〉〈２〉の下部に、角度を維持したままで外に広がる布団当たり面〈３〉〈３〉を設ける。そして、布団当たり面〈３〉〈３〉の裏面〈４〉〈４〉のどちらか片方に自在棒〈５〉の一方を取り付ける。さらに、布団当たり面〈３〉〈３〉の裏面〈４〉〈４〉にストッパー〈６〉〈６〉を設ける。そして裏面〈４〉〈４〉のどちらか片方の下部に止め具〈９〉を設ける。
以上の構成からなる布団干し具。
【発明の効果】
【０００５】  本発明を使用することにより、角度を持って広がる支持部、布団当たり面によってできる弾性が布団をふんわりと外側に押し開き、布、綿、羽毛等への負担がやさしくなる。また、布団当たり面が大きくなったことにより、多くの通風が得られ、布団の除湿が早くできる。また、本発明は、マンション等のベランダ内での布団干しや、室内での布団干しに使用すると大きな効果を発揮できる。濡れたシーツやバスタオル等を早く乾かすにも便利に利用出来るものである。
【発明を実施するための最良の形態】
【０００６】  以下、本発明を実施するための最良の形態について説明する。
〈イ〉固定部〈１〉に角度をもたせて外に広がる支持部〈２〉〈２〉を設ける。
〈ロ〉支持部〈２〉〈２〉の下部に、支持部〈２〉〈２〉の角度を維持したままで外に広がる布団当たり面〈３〉〈３〉を設ける。
〈ハ〉布団当たり面〈３〉〈３〉は、通風が良いようにネット状とし、模様枠を設ける。模様枠も通風が良いように骨体とする。
〈ニ〉布団当たり面〈３〉〈３〉の裏面〈４〉〈４〉のどちらか片方に伸縮しつっぱる機能をもつ自在棒〈５〉の一方を取り付ける。
〈ホ〉布団当たり面〈３〉〈３〉の面に滑り止めを施す。
〈ヘ〉布団当たり面〈３〉〈３〉の裏面〈４〉〈４〉に平行に凸状のストッパー〈６〉〈６〉を設ける。〈ト〉布団当たり面〈３〉〈３〉の裏面〈４〉〈４〉のどちらか片方に止め具〈９〉を設ける。
本発明は、以上の構成よりなっている。
これを使用するときは、竿等に、固定部〈１〉を上から差し込んで取り付ける。取り付けた布団干し具の上に、布団を左右に渡して掛ける。すると、垂れ下がる布団を、弾性がある布団当たり面〈３〉がふわりと外側に押し開いてくれる。通常シングル敷布団１枚で左右に１個ずつ使用すると最良である。布団の大きさ等により布団干し具の数を増やせばより多くの通風が得られ、短時間で除湿することができる。
なお、〔図１〕、〔図２〕に示すように布団当たり面〈３〉〈３〉の裏面〈４〉〈４〉のどちらか片方に、伸縮しつっぱる機能をもつ自在棒〈５〉の一方を固定し、もう一方は自在として仮止めしておく。必要なときに布団当たり面〈３〉〈３〉の裏面〈４〉〈４〉どうしを自在棒〈５〉をはめこみ固定すると、重い敷布団等でも大きな開口で通風を得る事ができる。
また、布団干し具を、〔図３〕に示す様に布団の端に設置した時、干す場所により、また、風がある日等は、布団〈１１〉と布団当たり面〈３〉の裏面〈４〉をクリップ〈１０〉で止めると良いが、その時に、クリップ〈１０〉が下に滑り落ちない様に凸状のストッパー〈６〉を設けてしっかり止まるようにしたものである。
また、〔図２〕に示すようにクリップ式固定具〈７〉にすると、高い位置の竿等には便利である。
また、〔図２〕に示すように布団当たり面〈３〉の面を滑り止め加工〈８〉を施すと，布団をより安定させることができる。
また、〔図４〕に示すように止め具〈９〉で、広がりをもつ布団当たり面〈３〉と〈３〉の下部をくっつけるように止めるとコンパクトになりスマートに収納することができる。
【産業上の利用可能性】
【０００７】
【図面の簡単な説明】
【０００８】
【図１】本発明の斜視図
【図２】本発明の使用例を示す裏面図
【図３】本発明の使用例を示す側面図
【図４】本発明の収納例を示す側面図
【符号の説明】
【０００９】１  固定部
２  支持部
３  布団当たり面
４  裏面
５  自在棒
６  ストッパー
７  クリップ式固定具
８  滑り止め加工
９  止め具
１０クリップ
１１布団
【図１】
2005312866.tif 000003
【図２】
2005312866.tif 000004
【図３】
2005312866.tif 000005
【図４】
2005312866.tif 000006
(57)【要約】      （修正有）【課題】  従来生卵を利用した調理の際は、１個を丸ごと利用する場合はさして不便を感じなかったが、料理の種類、又は少人数の場合は生卵を２分の１個、３分の１個を利用することが多く、黄身、白身を混ぜ合わせたものを使用するしかなかったので、白身ばかりが多くなるなどの不便があった。そこで生卵を均等に分割できる容器を提供する。【解決手段】  中央を丸くへこました底２ｂを持つ容器２に、上蓋１と一体となった仕切リ板１ａを差し込むことによって、生卵の黄身、白身を均等に分割する。【選択図】図１
2005312863.tif 000002
【特許請求の範囲】
【請求項１】
プラスチック等の成形物で上蓋と一体となった仕切り板を持つ蓋を、生卵を割って入れた時、黄身が容器の中心にくるように、中央を丸くへこませた底を持つ容器に上蓋を差し込むことにより、生卵の黄身、白身を均等に左右対称に分割する容器。
【請求項２】
生卵を入れる容器の底面、側面には上蓋の仕切り板がスムーズに下りるよう溝を入れ、又分割した生卵を取り出し易いよう取り出し口をつける容器。
【請求項３】
生卵は２分の１、又は３分の１、４分の１などに分けられるよう、仕切り板の形状をその分割により形状を変えることが可能な容器。
【発明の詳細な説明】
【発明の詳細な説明】
【技術分野】
【０００１】  本発明は生卵を調理、又は食する際、黄身と白身を均等に分割、利用出来るようにした調理器具に関するものである。
【背景技術】
【０００２】  従来、ゆでた卵を分割する器具はあるが、生卵を黄身、白身に均等に分割する調理器具はなかった。
【発明が解決しようとする課題】
【０００３】  従来、生卵を分割する際は、黄身、白身が混ざり合った状態でか分割することが出来ず、白身ばかりが多くなったり、調理や食する際には不便を感じることが多かった。
【課題を解決するための手段】
【０００４】  生卵を左右対称にきれいに分割出来るよう、生卵が常に真中にくるように容器の中央に丸いへこみを付けた容器に卵を割って入れ、その卵を分割する形態に応じた仕切り板のついた蓋を差し込むことにより、生卵の黄身、白身を等分に分割しようと考案されたものである。
【発明を実施するための最良の形態】
【０００５】  以下本発明の形態について説明する。
プラスチック等で作られた蓋１と仕切り板１ａが一体となった上蓋を、生卵を割って入れる容器２の底部の中心に常に生卵の黄身がくるように丸いへこみ２ｂをもうけ、上蓋１を差し込んだ時ずれないように、又生卵が混じり合わないよう容器２の底面、側面に仕切り板を導く溝２ｃを設け、分割した生卵を取り出しやすいよう取り出し口３をつけた生卵を分割する容器である。
【発明の効果】
【０００６】  生卵を使用する調理の際、有効かつ経済的に１個の生卵を利用することが出来、又従来生卵を少量利用する際はうずらの卵を利用するしかなかったものであるが、この分割容器を利用することにより１個の生卵を有効に利用することが可能となる。
【図面の簡単な説明】
【図−１】  本発明の全体斜視図である
【図−２】  本発明のＡ−Ａ断面図である
【符号の説明】
１    上蓋
１ａ  仕切り板
２    卵を割って入れる容器
２ｂ  生卵を容器の中心に持ってくるへこみ
２ｃ  仕切り板を差し込む溝
３    生卵を取り出す取出し口
【図１】
2005312863.tif 000003
【図２】
2005312863.tif 000004
(57)【要約】      （修正有）【課題】起床時に必要なものがすぐに見つかり、子供及び介護を必要とする人などは、必要な物を整理して入れることができるポケット付シーツを提供する。【解決手段】シーツの必要な部分にポケットを装着する。【選択図】図１
2005312864.tif 000002
【特許請求の範囲】
【請求項１】
シーツにポケットを装着する。
【発明の詳細な説明】
【技術分野】
【０００１】本発明は、起床時に探す時間と手間を解決するために、シーツにポケットをつける。このことにより、起床時に必要な物を探す時間と手間が少なくなる。
【背景技術】
【０００２】従来は、ベットの場合は、その横などに整理棚などを置いた、また、布団の場合は、枕元などに置かれていた。
【発明の開示】
【発明が解決しようとする課題】
【０００３】起床時に必要なものがすぐに見つかり便利である。子供及び介護を必要とする人などは、それに必要な物を整理して入れる。起床時に、必要なものがすぐに見つからないという難点があった。本発明は、この課題を解消するためになされたものである。
【課題を解決するための手段】
【０００４】シーツの必要な部分にポケット（図１）を装着する。
【発明の効果】
【０００５】一般の人はもちろん、子供及び介護を必要とする人にとっては、起床時に必要な物が手に入るのはもちろん、忘れ物なども防げる。
【実施例】
【０００６】
【図面の簡単な説明】
【図１】本発明の正面図である。
【図２】本発明の使用状態を示す図である。
【符号の説明】
【０００７】１．    シーツ全体２．    ポケット３．    使用状態
【図１】
2005312864.tif 000003
【図２】
2005312864.tif 000004
(57)【要約】【課題】首に掛けた紐の端に吸着盤をつけ、哺乳瓶に吸着させる哺乳瓶授乳補助具を提供する。【解決手段】紐の中間に、長さ調節具を設け、その紐の端にバックルを設け、そのバックルの端に細い紐を付けた吸着盤をつけたことを特徴とする哺乳瓶授乳補助具。【選択図】  図２
2005312861.tif 000002
【特許請求の範囲】
【請求項１】
ループ状からなる紐の中間に長さ調節具を設け、その紐の端にバックルを設け、そのバックルの端に細い紐を介して吸着盤をつけることを特徴とする哺乳瓶授乳補助具。
【発明の詳細な説明】
【技術分野】
【０００１】  本発明は、乳児に授乳する際に、吸着盤の付いたループ状の紐を首に掛け、哺乳瓶に吸着させ授乳を行なう哺乳瓶授乳補助具に関するものである。
【背景技術】
【０００２】  従来、授乳の際には、腰を下ろした状態のまま片手で乳児を支え、もう一方の手で哺乳瓶を持ち授乳を行なっていた。
また、哺乳瓶の胴部を弾性的に保持する小さな浮き輪状の保持部材を装着する発明が  知られている（特許文献１）。
また、棒状の弾性材の中に芯棒を入れて棒状の弾性材の先端に、面ファスナーのつい  た弾性材紐を装着する発明が知られている（特許文献２）。
さらに、哺乳ビンを布製の保持部材で保持し、これに紐製の吊り部材を連結させ、こ  の吊り部材を授乳者の首に掛ける発明もある（特許文献３）。
【特許文献１】特開平０９−２５２８９１号公報
【特許文献２】特開平０９−０４７４９２号公報
【特許文献３】特開２００３−３３４２３６号公報
【発明の開示】
【発明が解決しようとする課題】
【０００３】  そのために、次のような問題があった。
（イ）片手が自由にならないので、立ち上がってあやす事や顔を拭いてあげるなどの          簡単な作業ができなかった。
（ロ）ずっと座ったままの状態なのでかなり疲れる。
（ハ）補助具の使用の際、哺乳瓶に装着させるのに手間がかかった。
（ニ）補助具を清潔に保つために洗濯する際、洗濯により哺乳瓶の保持部材が劣化や          破損するおそれがあった。
本発明は、以上の問題点を解決するためのものである。
【課題を解決するための手段】
【０００４】  首に掛けるループ状の紐に長さ調節具を設ける。その紐の端にバックルを設け、そのバックルの端に細い紐を介して吸着盤を付ける。以上を特徴とする哺乳瓶授乳補助具である。
【発明の効果】
【０００５】  片手が自由になることで、立ち上がってあやす事や漏乳を拭く事もできる。また、吸着盤を使うことにより、手間をとることなく簡単に哺乳瓶に装着できる。また、直接肌にふれる首掛け部分の紐が汚れてしまった場合でも、保持部材の吸着盤をバックルにより外すことで、保持部材を損傷することなく洗濯でき、補助具を清潔に保つことができる。
【発明を実施するための最良の形態】
【０００６】  以下、本発明の実施の形態を説明する。
（イ）首に掛けるループ状の紐（１）の中間に、長さ調節具（２）を設ける。
（ロ）紐（１）の端にバックル雌型（５）を設け、一方のバックル雄型（４）に細い          紐（７）を設ける。
（ハ）バックル雄型（４）に付けた細い紐（７）の端に吸着盤（３）を設ける。
本発明は、以上の構成よりなっている。
これを使用するときは、バックル雄型（４）とバックル雌型（５）を連結（６）し、紐（１）の、長さ調節具（２）と吸着盤（３）の間を首に掛け長さを調節し、哺乳瓶（８）の下部側面に吸着盤（３）を付け、哺乳瓶（８）の先を乳児に与える。
【図面の簡単な説明】
【０００７】
【図１】本発明の斜視図
【図２】本発明の使用状態を示す斜視図
【符号の説明】
【０００８】    １  紐
２  長さ調節具
３  吸着盤
４  バックル雄型
５  バックル雌型
６  バックル連結
７  細い紐
８  哺乳瓶
【図１】
2005312861.tif 000003
【図２】
2005312861.tif 000004
(57)【要約】      （修正有）【課題】ゴルフのプレイにおいてグリーン上のボール位置をマークするマーカーが従来のものでは悪天候などの薄暗い状況や、距離が遠い場合の視認性が低い。【解決手段】マーカーに電池、光源を組み込みスイッチ操作で点灯または点滅をする構造とする。【選択図】図−１
2005312870.tif 000002
【特許請求の範囲】
【請求項１】
ゴルフに際し、球の方向の確認を容易にするため、グリーン上で使用するマーカーに光源を組み込んで点灯又は点滅させること。
【発明の詳細な説明】
【技術分野】
【０００１】  本発明は、ゴルフプレイにおいてグリーン上のボール位置を確認するためのマーカに関するものである。
【背景技術】
【０００２】  通常マーカーはコインなどが利用されており、また他にさまざまなものも考案されている。その多くは形状に関したものや、光に反射するタイプのものであり、薄暗い状況や距離が遠い場合においては視認性が決して高いとは言えない。
【特許文献１】特願平７−５１６６５６
【特許文献２】特開２０００−５１４２１
【特許文献３】特開２００１−３４０５０３
【特許文献４】特開２００３−３０５１４４
【発明の開示】
【発明が解決しようとする課題】
【０００３】  従来の考案においては、薄暗い状況にあっては視認性が低くなるため、この点について改善をするものである。
【課題を解決するための手段】
【０００４】  本発明が提案する課題を解決する手段は、図−１に示すとおりマーカ本体１の内部に電池２と光源３を埋め込むことにより、視認性を高めることである。【０００５】  本発明では、光に反応して発光するものではなく、マーカー自体が発光することにより、悪天候や日没が近いときなどにも十分な確認ができるようにする。【０００６】  光源はスイッチにより点灯または点滅する構造とする。
【発明の効果】
【０００７】  本発明を利用することにより、図−２のように自分のボールの位置がはっきりと確認できるだけではなく、打球方向に関してもその直線部分の確認がはっきりと取りやすくなる。【０００８】  また、発光部の色を変えることにより、プレイヤーも識別できる。
【図面の簡単な説明】
【０００９】
【図−１】本発明を利用する場合のイメージ
【図−２】本発明の詳細図
【図−１】
2005312870.tif 000003
【図−２】
2005312870.tif 000004
(57)【要約】【課題】  被検体と超音波探触子との接触を良くするゲルが接触面に確実に塗布されないという問題がある。【解決手段】  超音波探触子１の把持部１ａの近傍にスイッチ４が装着され、又、超音波探触子１の被検体との接触面１ｂにチューブ５の吐出口５ａが装着され、チューブ５の他端はゲルディスペンサ６に接続され、ゲルディスペンサ６に従来のゲルボトル７が装着されるように構成され、さらに、超音波探触子１の把持部１ａの中心を通る信号線８は超音波診断装置３に接続されている。【選択図】図１
2005312838.tif 000002
【特許請求の範囲】
【請求項１】
被検体に接触させて、超音波を照射する超音波探触子と、該超音波探触子からの超音波信号の送受信により、被検体内の組織を検査するようにした超音波診断装置において、前記超音波探触子の被検体との接触面にチューブの一端の吐出口を固着するとともに、前記超音波探触子にスイッチを装着し、前記チューブの他端をゲルディスペンサに接続してなり、該ゲルディスペンサにゲルボトルを装着することにより、前記超音波探触子に装着したスイッチのオンで電磁作用により前記ゲルディスペンサに装着した前記ゲルボトルを押圧し、内蔵するゲルを前記超音波探触子の接触面に吐出することを特徴とする超音波診断装置。
【請求項２】
前記超音波探触子に装着したスイッチは１回のオンにより一定量のゲルを吐出することを特徴とする請求項１記載の超音波診断装置。
【発明の詳細な説明】
【技術分野】
【０００１】
本発明は、被検体に超音波探触子を接触させる場合に使用するゲルを自動的に供給するようにした超音波診断装置に関するものである。
【背景技術】
【０００２】
従来、図２に示すように、被検体に複数の超音波振動子からなる超音波探触子１接触させ、この超音波探触子１の複数の超音波振動子に切り替え回路によって発振器から順次発振信号を送信し、又、複数の超音波振動子１で被検体からのエコーを検出するために、切り替え回路に受信機が接続され、受信機からの受信出力をＡ／Ｄ変換器でデジタル信号に変換し、このＡ／Ｄ変換器の出力を画像処理回路で画像処理して、この画像処理回路の出力を表示装置２で表示するようにした超音波診断装置３が提案されている。
【０００３】
しかしながら、従来のこのような超音波診断装置３では、被検体と超音波探触子１との接触を良くするために、超音波探触子１の接触面にゲルを塗布するが、このゲルを塗布するために、従来では、ゲルボトルを手で押圧することにより、ゲルボトルより吐出したゲルを直接超音波探触子１の被検体との接触面に塗布するようにしているため、吐出されたゲルが薄い場合やゲルが確実に被検体との接触面に取付部されていない場合は、超音波診断装置による信号処理ができないため、被検体の診断部が表示されないという問題があった。
【発明の開示】
【発明が解決しようとする課題】
【０００４】
解決しようとする問題点は、被検体と超音波探触子との接触を良くするゲルが接触面に確実に塗布されないという点である。
【課題を解決するための手段】
【０００５】
本発明では、超音波探触子の被検体との接触面にチューブの一端の吐出口を固着し、又、超音波探触子にスイッチを装着し、チューブの他端をゲルディスペンサに接続し、このゲルディスペンサにゲルボトルを装着することにより、超音波探触子に装着したスイッチのオンで電磁作用により、ゲルディスペンサに装着したゲルボトルを押圧し、内蔵するゲルを超音波探触子の接触面に吐出する。
【発明の効果】
【０００６】
本発明の超音波診断装置では、超音波探触子に装着したスイッチをオンする毎に一定量のゲルが吐出されので、超音波探触子の接触面に付着しているゲルが少ない場合は、スイッチを押すことにより、ゲルが一定量吐出して、超音波探触子の接触面に付着させることができるという利点がある。
【実施例】
【０００７】
図１は本発明の実施例の超音波診断装置の超音波探触子の構成図で、超音波探触子１の把持部１ａの近傍にスイッチ４が装着され、又、超音波探触子１の被検体との接触面１ｂにチューブ５の吐出口５ａが装着され、チューブ５の他端はゲルディスペンサ７に接続され、ゲルディスペンサ７の装着口７ａに従来のゲルボトル６の吐出口６ａが密着して装着されるように構成され、さらに、超音波探触子１の把持部１ａの中心を通る信号線８は超音波診断装置３に接続されている。
【０００８】
このように構成された本実施例では、まず、超音波探触子１が被検体に接触される前に、スイッチ４を押すことにより、ゲルディスペンサ７に装着されたゲルボトル６が電磁作用により押圧され、それによって、ゲルボトル６内のゲルが超音波探触子１に固着された吐出口５ａから吐出されるので、このゲルを被検体に押し付けると、ゲルが超音波探触子１の接触面に均等に付着されるので、その後で、超音波診断装置３を駆動して、診断を行うことができ、又、診断中に計測を中断してゲルを塗布する必要がなく、スイッチ４を押すことにより、連続的に診断を行うことができ、ゲルディスペンサ７により、ゲルの供給を定量化することができる。
【産業上の利用可能性】
【０００９】
上記実施例では、ゲルの吐出を電磁作用により行うように説明したが、これ以外に超音波振動子による超音波振動によりゲルを吐出させることができ、又、超音波診断装置本体の内部又は側面にゲルデイスペンサを装着してもよい。
【図面の簡単な説明】
【００１０】
【図１】本発明の実施例の超音波診断装置の超音波探触子の構成図である。
【図２】本発明の実施例の超音波診断装置の構成図である。
【符号の説明】
【００１１】
１                超音波探触子
４                スイッチ
５                チューブ
６                ゲルボトル
７                ゲルディスペンサ
８                信号線
【図１】
2005312838.tif 000003
【図２】
2005312838.tif 000004
(57)【要約】【課題】書類等の厚みに合わせて載置部の奥行きを調節でき、また、書類等の高さに合わせて傾斜部の長さも調節できると共に、さらに使用しないときは、横巾を狭くコンパクトに折り畳むことができる携帯用として最適な書類立てを提供する。【解決手段】左右一対の脚部のそれぞれ対向する面に折り畳み自在に設けた支持部と、前記支持部を折り畳んだときに収納可能に前記脚部の側面に形成した貫通穴と、前記脚部の上面に起倒自在な傾斜部と前記傾斜部の傾斜を支持する起倒自在な傾斜支持部と前記傾斜支持部を倒したときに前記傾斜支持部を収納する凹部で構成され、前記脚部の前端部には、前記脚部の長手方向に摺動自在な載置部を設け、さらに、前記傾斜部を長手方向に摺動自在に構成した。【選択図】図１
2005312873.tif 000002
【特許請求の範囲】
【請求項１】
左右一対の脚部のそれぞれ対向する面に折り畳み自在に設けた支持部と、前記支持部を折り畳んだときに収納可能に前記脚部の側面に形成した貫通穴と、前記脚部の上面に起倒自在な傾斜部と前記傾斜部の傾斜を支持する起倒自在な傾斜支持部と前記傾斜支持部を倒したときに前記傾斜支持部を収納する凹部で構成され、前記脚部の前端部には、前記脚部の長手方向に摺動自在な載置部を設けたことを特徴とする書類立て。
【請求項２】
前記傾斜部が長手方向に摺動自在に構成されたことを特徴とする請求項１に記載の書類立て。
【発明の詳細な説明】
【技術分野】
【０００１】  本発明は、携帯用として用いられる書類立てに関するものである。
【背景技術】
【０００２】  従来より携帯用の書類立てとして提案されているものは、一枚の板を上板と下板に折り曲げ、さらに上板を載置部と傾斜部に折り曲げ、下板を脚部と傾斜支持部と押え板部に折り曲げるようにしたものであり、上記傾斜部の角度を調整するために前記傾斜部の裏面中央部と押え板部の前面中央部にファスナを貼り付けたものである。また、上記載置部は書類等の下端が手前側にズリ落ちないようにするため折り目より手前側に向けて水平よりやや斜め上に傾斜して折り曲げられるようになっている。したがって、この公知の書見台は折り曲げだけで組み立てることができ、書類等を見る角度も上記ファスナにより傾斜部に対する押え板部の固定位置を変えるだけで自由に調節できる。また、前記傾斜面の両側辺には裏面側に折り畳み自在の側部拡開板が連設されているので、書類等の横巾に合わせて載置面積を変えるようになっている。さらに、収納あるいは包装の際にはほぼ平に折り畳むことができるので、あまり嵩張らないという特徴を有している。
【特許文献１】実開昭６１−１３６９３１号
【発明の開示】
【発明が解決しようとする課題】
【０００３】  しかしながら、従来の書類立ては、載置部の奥行きが固定なので分厚い書類等には向かなかった。
また、傾斜部の高さも固定なため、背の高い書類等を立てたときに書類が安定せずに不具合が生じていた。【０００４】  さらに、傾斜部の両側辺に連設されている側部拡開板を裏面側に折り畳むように構成されているので、折り畳んだときに側部拡開板が傾斜部に重ねられるだけの巾が傾斜部に必要となるため、傾斜部の横巾が大きくなってしまうという欠点があった。【０００５】  本発明は、上記事情に鑑みてなされたものであり、書類等の厚みに合わせて載置部の奥行きを調節でき、また、書類等の高さに合わせて傾斜部の長さも調節できると共に、さらに使用しないときは、横巾を狭くコンパクトに折り畳むことができる携帯用として最適な書類立てを提供することを目的とする。
【課題を解決するための手段】
【０００６】  左右一対の脚部のそれぞれ対向する面に折り畳み自在に設けた支持部と、前記支持部を折り畳んだときに収納可能に前記脚部の側面に形成した貫通穴と、前記脚部の上面に起倒自在な傾斜部と前記傾斜部の傾斜を支持する起倒自在な傾斜支持部と前記傾斜支持部を倒したときに前記傾斜支持部を収納する凹部で構成され、前記脚部の前端部には、前記脚部の長手方向に摺動自在な載置部を設けた。【０００７】  さらに、前記傾斜部が長手方向に摺動自在に構成されている。
【発明の効果】
【０００８】  以上のように、本発明では、載置部を摺動自在にしたので、いろいろな厚みの書類を立てることができる。【０００９】  また、傾斜部を摺動自在にしたので、書類の高さに調節できるため、安定した書類立てが得られる。【００１０】  さらに、折り畳んだときに支持部が脚部に収納可能なように脚部の側面に貫通穴を形成し、また、脚部の上面に傾斜支持部が収納可能なように凹部を形成した構成にしたので、携帯のもっとも適した条件であるコンパクトなものになる。
【発明を実施するための最良の形態】
【００１１】  以下、本発明に係る書類立ての実施の形態を図１ないし図３を参照して説明する。
図１は、本発明の実施の形態の斜視図を示す。図１において、１，２は脚部である。また３は、支持部である。支持部は一対の横材４，５で構成されている。横材４，５のそれぞれの一方が回動自在に連結し、他方は脚部１，２の対向する面に回動自在に取り付けられている。脚部１，２の側面には、支持部３である横材４，５が、折り畳んだときにそれぞれ脚部１，２内に収納されるように貫通穴１３が設けられている。【００１２】  ６は、傾斜部である。傾斜部６は、縦材７，８で構成されている。縦材７は、それぞれ脚部１，２の上面前端部に起倒自在に取り付けられ、さらに書類の高さに合わせて調節できるように縦材８が長手方向に摺動自在に設けられている。９は、傾斜部６を支持する傾斜支持部である。書類立てを使用するときは、傾斜部６を起こし、傾斜支持部９の先端を傾斜部６の裏面に設けた係止穴１４に係合し、傾斜部６を固定する。また、傾斜支持部９を折り畳んだときに脚部１、２の上面位置と同じ高さかそれより低い位置になるよう脚部１，２の上面に傾斜支持部９を収納する凹部１２が形成されている。【００１３】  １０は、脚部１，２の前端部に長手方向に摺動自在に設けた載置部である。書類等の厚みに合わせて調整できるようになっている。載置部１０の先端には傾斜部６と対向するように保持部１１が立設している。書類等を載置部１０に立てたときに書類の下部が前方にずれないように保持部１１で保持される。【００１４】  また、保持部１１の高さは、保持部１１と対向する脚部１，２の面の高さと同じか、低くするのが好ましい。【００１５】  書類立てを携帯するときは、図３に示すように折り畳んでおく。使用する時は、図２の想像線から実線で示すように支持部３を広げる。
【図面の簡単な説明】
【００１６】
【図１】本発明の実施の形態を示す斜視図である。
【図２】本発明の実施の形態の折り畳み状態を示す平面図である。
【図３】本発明の実施の形態の折り畳んだ状態を示す平面図である。
【符号の説明】
【００１７】１，２        脚部
３            支持部
４，５        横材
６            傾斜部
７，８        縦材
９            傾斜支持部
１０          載置部
１１          保持部
１２          凹部
１３          貫通穴
１４          係止穴
【図１】
2005312873.tif 000003
【図２】
2005312873.tif 000004
【図３】
2005312873.tif 000005
(57)【要約】      （修正有）【課題】歯ブラシは、その使用時において、毛が左右になびくので、両端部は、抵抗（歯磨き）効果が減じられるとともに、両端部は、毛先が次第に、ラッパ状にひらくので、更に歯磨き効果を失うことになる。この毛のひらきは、歯ブラシにとって最大のネックである。【解決手段】歯を磨いたときにかかる植毛部への、加圧の、力の配分を究めて、その比率を見つけだした結果、それに対応した植毛部を創作することによって、毛先全体にかかる圧力の、平均化をはかり、更に両端部の毛足を短くすることによって、毛のコシを強めて、毛のなびきを押さえる効果を得、従って、両端部の歯磨き効果を高めるとともに、歯ブラシの最大のネックである毛のひらきを防ぐ効果を得ることができるので、非常に長持ちできる。【選択図】図１
2005312876.tif 000002
【特許請求の範囲】
【請求項１】
スプーンの底状の曲線を有する植毛部と、直線状の毛先からなることを特徴とする、歯ブラシ
【発明の詳細な説明】
【技術分野】
【０００１】    本発明は、植毛された毛束の特質を究めて、歯ブラシの弱点である両端部の、毛のコシを強めて、歯磨き効果を高めるとともに、磨いたときにかかる植毛部への加圧の力の配分を究めて、これに対応した植毛部を創作することによって、毛のひらきを防ぐことができるもので、従って長持ちできることを特徴とした歯ブラシに係わるものである。、
［背景技術］【０００２】      ［実案文献１］  実案公告  昭５１−４２５２９号
［実案文献２］  実案公告  平６−８７４１号
［実案文献３］  実案登録  第３０８３２２６号
［発明の開示］
［発明が解決しようとする課題］
歯ブラシは、その使用時において、歯に押圧するので、毛が撓い、左右にひらく状態となる。而して、このひらきは、端部に及ぶほど毛先のひらきの角度が大きく、所謂ラッパ状になる。これは、端部の歯磨き効果が、中ほどのそれより、劣ることを示していることに他ならない。即ち、以前よく使われていた豚毛ハブラシは、中程の毛のみ擦り切れて、最も使っている筈の先端部は擦り切れない、元部も同様に擦り切れない。これは、中ほどの部分が最も抵抗（歯磨き）効果があることのあらわれである。即ち、先端部へは、自然に多く力が入っても、毛がなびくので、抵抗（歯磨き）効果が損なわれるのである。
［課題を解決するための手段］
植毛された毛束は、毛足が短くなれば毛のコシが強くなり、根元に近くなるほど、さらに、コシが強くなり、ナイロン毛の場合、変形しにくくなる。この理論は、実案文献１−３を通じて一貫して述べているもので、本発明の原点なのである。
而して、歯ブラシは、その使用時において、植毛部にどのような力の配分で作用しているのか、その場合の毛のなびき具合はどうなのか、この点を見極めて、これを植毛部形態に反映されなければ、前記の理論は生かされないのである。
次に毛先の形状について述べると、現在、市販されている歯ブラシは、その多くが直線状である。これは、前歯の表側の凸形と、裏側の凹形に対応することができ、直列状の奥歯にも適合し、水平状（表現が適切でないかもしれないが）の咬合面にも適応することができるからで、これが、最も普遍的であると考えられる。
而して、歯ブラシは、その使用時において左右に毛がなびくことは周知の通りである。ではその分岐点になるのは植毛部のどの位置なのか、（ここが最も加圧を受ける箇所なのである。）
これを見出すのは非常に難しいことである。即ち、前歯の前面と裏側はまったく相反する形状であり、また、奥歯の頬側、舌側、或いは、咬合面、その一つ一つが形状が異なり、それぞれに、歯ブラシへの当たり具合が異なることは自明の理であり、更に、右側を磨くときと、左側を磨くときは、力の入り方も自ずから異なることは論を俟たないことである。更に、人それぞれに磨き方に癖もあることであり、これらを総合した当たり具合を見極めるのは、至難の業といっても過言ではないと思うのである。
而して、歯ブラシは使用時において、意識するしないに拘わらず、先端部へは、自然に力が入るものであり、元部へのそれは少なめになるものである。しかし先端部に入る力は毛になびく作用となって働くのである。これが先端部の歯磨き効果を損ねるとともに毛のひらきにつながるのである。元部も同様である。
そしてそれらを総合して、植毛部に最も強く作用するのは、約６：４の比率で、元部寄りであることを突き止めたのである。この箇所が毛が左右になびく分岐点なのである。従ってこの箇所の強いあたりを和らげる形態を、植毛部に形成すれば良いことになるのである。これは、先に述べた、植毛された毛束の理論に基ずくもので、毛先が直線状であることを前提としている。
［発明の効果］
本発明は、前述のように、植毛部形態が、毛束にかかる圧力を分散する効果によって、植毛部全体が平均したあたりとなり、然も毛束の各々がその根元から作用するので、、植毛された毛束の理論が生かされて、両端部は、毛のコシが強くなり、歯磨き効果が向上するとともに、毛のひらきを防ぐことができるので、長持ちして、新しい歯ブラシの使用感を長く保つことができる。
［発明を実施するための最良の形態］
前述のように、本発明の植毛部は、６：４の加圧比重に則り、形成されたもので、スプーンの底状の曲線を以て形成されるものである。
而して、本発明の原点である背景技術の実案文献３件は、先に述べた豚毛歯ブラシがその中程が磨耗していることに着目して、植毛部は円弧状で事足りる、と考えて考案したものであり、加圧の偏りがあっても、柄の取り付け角度によって、調整可能と考えていたのである。しかし、この場合は、両端部の根元の部分に、若干の遊びが残るのは否めず、これが小さい毛の開きとなる。したがって前３件の場合は、これを補う為に傾斜植毛に構成したのである、然るに本願植毛部は、加圧比重に適応した形態であるが故に、両端部の毛束の根元に、殆ど遊びがなく、前述の植毛された毛束の理論が生かされて、毛のひらきは僅少ですみ、歯磨き効果に影響を及ぼすほどのものではない。したがって、本願歯ブラシは、傾斜植毛を必要としないのである。
［実施例］
前述のように、本願歯ブラシは、植毛部がスプーンの底状の曲線をもって形成されていることと、直線状の毛先との相関関係により、両端部の毛の開きは、僅少ですみ、歯磨き効果に影響を及ぼすほどのものではなく、しかも両サイドの毛のひらきも、きわめて小さく、これも歯磨き効果を損ねるほどのものではない。従って、本願歯ブラシは、スプーンの底状の曲線から成る植毛部と、直線状の毛先を有することの、二つの構成によって、その効果を得ることができる。
【図面の簡単な説明】  ［図１］
本願の正面図である。
［図２］
本願の縦断側面図である。
【符号の説明】
１スプーンの底状の曲線を有する植毛部。
２直線状の毛先。
【図１】
2005312876.tif 000003
【図２】
2005312876.tif 000004
(57)【要約】【課題】  簡単に掴み出し、片手で千切りカット出来るトイレットペーパーホルダーを提供する。【解決手段】  ペーパーカバーの一部を切り込みカットして開口部を設け、又ペーパーカバーの先端部の上縁に鋸状歯、下縁に滑り止め歯と下面には摩擦帯を設けた、トイレットペイパーホルダー。【選択図】  図１
2005312874.tif 000002
【特許請求の範囲】
【請求項１】
ペーパーホルダーの上部に取り付けられているペーパーカバーの一部分が、切り込みカットされ、且つその先端部の上縁にペイパーカット用の鋸状の歯が、下縁にペイパーの回転を押さえる滑り止め用の歯と、下面に摩擦帯を設けたトイレットペーパーホルダー。
【発明の詳細な説明】
【技術分野】
【０００１】  本考案は、トイレットペーパーホルダーに関するものである。
【背景技術】
【０００２】  従来、トイレットペーパーホルダは、ペーパーをセットしたら上からペーパーカバーを下ろすだけのものが殆どだった。
【発明の開示】
【発明が解決しようとする課題】
【０００３】  そのため、次のような問題点があった。
（イ）、トイレットペーパーのカットした端が下に巻かれているペーパーにはりついていて、切れ端を摘み出しずらっかった。
（ロ）、引き出したペーパーを千切ってカットするのに片手で行うことが困難だった。
本発明は、以上の問題点を解決するためになされたものである。
【課題を解決するための手段】
【０００４】  ペーパーカバーの中央付近を深く切り込みカットして、ペーパーを通す開口部を設ける。
ペーパーカバーの先端部の上縁にペーパーをカットする鋸状歯を設ける。
ペーパーカバーの先端部の下縁に下に巻かれているペイーパードラムの回転を押さえる滑り止め用の歯と下面に摩擦帯を設ける。
以上を特徴とするトイレットペーパーホルダーである。
【発明の効果】
【０００５】  ペーパーが簡単に摘んで引き出したり、又引き出したペーパーを片手で千切ってカットすることが出来る、特に障害者にも不便を与えない。
【発明を実施するための最良の形態】
【０００６】  以下、本発明の実施の形態を説明する。
（イ）本体（１）に取り付けられたペーパーカバーの一部分を深く切り込みカットし、その切り込みカットした開口部にペーパーを通しておく。
（ロ）ペーパーカバー（２）の先端部の上縁にペーパーカット用の鋸状歯を設ける。
（ハ）ペーパーカバー（２）の下に巻かれているペーパードラムに当たっている先端部の下縁には、ペーパードラムの回転を押さえる滑り止め用の歯と（２）の下面には摩擦帯を設ける。
本発明は以上のような構造で、これを使用するときは、切り込み開口部（３）を通ったペーパー（７）を必要な長さだけ引き出し、その引き出したペーパー（７）を下に巻かれているペーパードラムの中心方向に押さえ込むように上縁歯（４）で千切ってカットすれば、ペーパー（７）の千切ってカットされた端末は、常に下に巻かれてるペーパードラムに密着することが無く、浮いた状態にあるので次に簡単に摘んで引き出すことが出来る、下縁歯（５）と摩擦帯はペーパー（７）を引き出し千切ってカットするとき、下方に働く力により下にあるペーパードラムの回転を押さえて止めるためのものである。
【図面の簡単な説明】
【０００７】
【図１】  本発明の斜視図（ペーパーカット前）
【図２】  本発明の斜視図（ペーパーカット後）
【図３】  本発明のペーパーカバーの斜視図
【図４】  本発明のペーパーカバーの  Ａ−Ｂ断面図
【符号の説明】
【０００８】      １  本体
２  ペーパーカバー
３  切り込み開口部
４  上縁歯
５  下縁歯
６  摩擦帯
７  ペーパー
【図１】
2005312874.tif 000003
【図２】
2005312874.tif 000004
【図３】
2005312874.tif 000005
【図４】
2005312874.tif 000006
(57)【要約】【課題】調理器具や食器、弁当箱等を洗ったときの油混入排水から、油分を除去するために有効で且つ、環境問題への取り組みに関する教材的役割を併せ持つような吸油具の開発が望まれる。【解決手段】流し台排水口のストレーナーの中に置いて使用し、吸油マットとその形状保持用リング状補強材、及び羽根状突起、吸油マットの形状保持用リング状補強材用溝、脚部を有する構造部材を組み立てて成る吸油具で、吸油マットが油混入排水から油分を吸着保持し、それを廃棄することで、環境へ放流される油分はほとんどない上に、吸油マットと調理クズとの分別廃棄も簡単に出来る。また、小型で扱い易く、組み立て式であることから、環境問題への取り組みに関する啓蒙活動、意識高揚のための活動等における説明、解説、理解のための補助具や学校教材としての適応性も備える。【選択図】図１
2005312882.tif 000002
【特許請求の範囲】
【請求項１】
流し台排水口のストレーナーの中に入れて用いる台所排水用組み立て式吸油具で、図２記載の構造部材を組み立てて図１記載の完成品とし、ストレーナーに入って来た油混入排水中の油分を吸油マットで吸着保持し、廃棄して環境へ出さず、その上、吸油マットと調理クズとの分別廃棄も簡単に出来て、併せ、小型で扱い易く、組み立て式であることから、環境問題への取り組みに関する啓蒙活動、意識高揚のための活動等における説明、解説、理解のための補助具や学校教材等としても適応性を有する台所排水用組み立て式吸油具。
【発明の詳細な説明】
【技術分野】
【０００１】  本発明は、台所排水から混入油分を除去するために、流し台排水口のストレーナーの中に入れて使用する吸油具に関するものである。
【背景技術】
【０００２】  家庭で使った天ぷら油は、ゲル化剤や吸油材等によって処理されるが、調理器具や食器、弁当箱等を洗ったときの油混入排水については、そこから油分を除去する有効な手段がとられないままに放流されているのが実状であり、それが環境汚染の原因の一つといわれている。【０００３】  ここを見逃していると、ゲル化剤等による廃油処理方法の定着、つまり、家庭で使った油の処理は家庭でしようという考え方の定着と実践を阻害するようなことにならなければよいがという懸念がいつも付いて回る程、環境問題は、精神性の問題の一面といえる。【０００４】  つまり、微量の油も環境に放流しないような技術と併せ、河川、湖沼、海を汚さないための環境問題への取り組みに関する教材のような、精神的役割を備えたものの出現が望まれる。
【発明の開示】
【発明が解決しようとする課題】
【０００５】  解決しようとする問題点は、調理器具や食器、弁当箱等を洗ったときの油混入排水から、油分を除去するための有効な手段と且つ、環境問題への取り組みに関する教材的役割を備えた吸油具の開発が急がれる。
【課題を解決するための手段】
【０００６】  本発明は、流し台排水口のストレーナーの中に置いて使用し、図２の構成部材１、１’と吸油マット７及びその形状保持用リング状補強材６を組み立てて成り、吸油マットが油混入排水から油分を吸着保持するため、それを廃棄すれば環境へ放流される油分はほとんどない上、吸油マットと調理クズとの分別廃棄も簡単に出来る。更に、小型で扱い易く、組み立て式であることから、教材等への利用が可能である。つまり、油分の除去と教材的役割とを併せ持つものである。
【発明の効果】
【０００７】  本発明の台所排水用組み立て式吸油具は、流し台排水口のストレーナーの中に置いて使用し、吸油マットで油混入排水から油分を吸着保持し、廃棄する。調理クズはストレーナーの底部へ落ちるために、吸油マットとは分別され、後の廃棄作業が簡単に出来る。更に、小型で扱い易く、組み立て式であることから、環境問題に関する学校教材として、その他、環境問題への取り組みに関する啓蒙活動、意識高揚のための活動における説明、解説、理解のための補助具等に利用出来る。
【発明を実施するための最良の形態】
【０００８】  本発明の全体の構成は、図２に記載された四つの部材から成り、それらを組み立てた完成品の斜視図が、図１である。【０００９】  図１は、本発明の吸油具の全体斜視図で、２、２’は油混入排水を吸油マットに飛散分散させるための羽根状突起、５、５’は脚部、７は吸油マット、６は７の形状保持用リング状補強材である。【００１０】  図２は、本発明の吸油具の各部材のそれぞれの斜視図であり、組み立て方法は、構成部材１の組み立て用切り込み３へ、上部から構成部材１’の組み立て用切り込み３’を押し込んで＋型を作り、溝４、４’に吸油マットの形状保持用リング状補強材６をはめ込んで、その上に吸油マット７を置いて完成する。【００１１】  調理器具や食器、弁当箱等を洗うことにより、流し台排水口のストレーナーへ入って来た油混入排水は、構成部材１、１’の羽根状突起２、２’に当たって吸油マット７の上に飛散分散され、油分が吸着保持される。油分が除かれた排水と調理クズは、羽根状突起と吸油マットの間から下へ落ちるが、そこはストレーナーの底部であり、排水は通過するが調理クズはとどまる。【００１２】  調理器具や食器、弁当箱等を洗い終わったら、先ず、油分を吸着保持している吸油マットを取り出して燃えるゴミと一緒に廃棄し、次に、吸油マット以外の構造物を取り出した後、最後に、ストレーナー底部に溜まった調理クズを生ゴミと一緒に廃棄する。
【実施例】
【００１３】  本発明の吸油具を、流し台排水口のストレーナーの中に置いて、炒飯を作った後のフライパンと食後の皿を洗い、その排水を流した様子を目視観察した結果を表１に示す。【００１４】
【表１】
2005312882.tif 000003
【００１５】羽根状突起と吸油マットの距離を１５ｍｍ以下にすると、油混入排水の飛散分散効果が悪く、混入油分に逃げられてしまう量が多かった。また、図２の各部材の中で、脚部部材を円筒形にしたら、直径が大きくなると筒にする前の長さが長くなり、扱い難かった。
【産業上の利用可能性】
【００１６】  水環境問題の解決方法としての性能以外に、小型で扱い易く、組み立て式であることから、教材、販売促進材等への利用が可能という側面を持ち合わせている。
【図面の簡単な説明】
【００１７】
【図１】本発明の台所排水用組み立て式吸油具の全体斜視図
【図２】本発明の台所排水用組み立て式吸油具の各部材の斜視図
【符号の説明】
【００１８】  １  構成部材
１’構成部材
２  羽根状突起
２’羽根状突起
３  構成部材１の組み立て用切り込み
３’構成部材１’の組み立て用切り込み
４  溝
４’溝
５  脚部
５’脚部
６  吸油マットの形状保持用リング状補強材
７  吸油マット
【図１】
2005312882.tif 000004
【図２】
2005312882.tif 000005
(57)【要約】      （修正有）【課題】小さくて軽い携帯用風船傘は日除けのパラソルとしても少し位の雨でも充分対応出来ます．傘に必要とされていた金属の骨も柄も全く使用せず新しい発相と面白さで風船を用いた傘を提供する。【解決手段】からかさの形をした円錐形の布（１）又はビニール（１）の外側の裏面にリング状の風船（８）を取り着けて固定し．棒状風船（２）の先端部の輪（７）の方を傘の裏側中央に取り着けた紐の輪（６）に通し棒状風船の下部の方から（７）の輪に差し込み傘（１）に柄（２）を固定する。又傘と柄を安定させる紐（３）の中央部の輪（４）を棒状風船（２）の適度の位置に入れ．リング状風船（８）次いで柄（２）の風船に充分空気を注入孔（１０）より入れ張りのある風船傘を完成させる。【選択図】図１
2005312884.tif 000002
【特許請求の範囲】
【請求項１】
傘に使用するビニール（１）又は布（１）を三角垂（図１）に作りその下部の裏側にリング状風船（８）を取り着けその天部の紐（６）に棒状風船（２）の先端（７）を通して図３の如く固定させ紐（３）の輪（４）を棒状風船（２）に通して、柄とし、風船（８）と（２）に一杯に空気を入れて安定した傘となる、携帯形風船傘
【発明の詳細な説明】
【発明の詳細な説明】
【０００１】〔発明の属する技術分野〕  この発明は傘としてのビニール又は布と、２個の風船と僅かの紐で携帯用の傘を作る事である
【０００２】〔従来の技術〕  従来の傘及びパラソルは８本又はそれ以上の骨に布及びビニールを張りつけたもの、そして金属又は木製の柄が使用されています。折りたたみの携帯用も同じです。
【０００３】〔発明が解決しようとする課題〕  従来の傘は雨が降ってない時持ち歩くのにある程度の大きさと重さがある．折りたたみの携帯用も増々小型軽量化していますがまだまだぽけっとに入るまでは行かない．使用後には身体から離す為に忘れものとして一番多い  又人混みの中では突き出た傘の骨が他の人の顔に当る危険もある．風によっては骨が曲がったり折れる事もある。
【０００４】〔課題を解決するための手段〕  三角垂の形に作られた傘の布（１）又はビニール（１）の下部裏側に、リング状風船（８）を固定して取り着ける．傘の裏側天部の三角の所に棒状風船（２）の上部を固定させ持ち上げる事により傘の形が出来る（図１）  傘（１）と柄（２）の形を安定させる為に紐（３）の輪（４）を柄（２）に通し風船の傘としたものである。
【０００５】〔発明の実施の形態〕  リング状風船（８）と棒状風船の柄（２）に空気を一杯に注入口（１０）より入れ張りを持たせる事により面白さのある傘又はパラソルとなる。
【０００６】〔実施例〕  以下本発明の実施例について説明する（イ）三角垂の形に作られた傘の布（１）又はビニール（１）の外周の裏側に同じ素材でリング状の風船（８）が入る様な筒状とする但し空気注入及び排出口（１０）とリング状とする風船（８）の継ぎ部分（９）は必要な和度空けておく  注．直接固定して取り着けると交換出来なくなる．（ロ）柄となる棒状風船（８）は始めから先端（７）を傘の裏側天部（５）にある取り着け紐（６）に通し装着しておき傘（１）と柄（２）を固定させる紐（３）の中間部に設けた輪（４）にも柄（２）を入れておく（ハ）始めにリング状風船（８）に空気を注入する．次いで棒状風船（２）にも空気を入れ柄と（２）傘（１）をバランスの良い形に紐（３）の輪（４）の高さを調整する。（ニ）大雨．風の具合によりリング状風船（８）の内側にもう一つ風船を取り着け強度を増す事も考えられる．又スコール等強い雨の地方には頭にはまる位のリング状風船を傘の裏側上部に取り着け傘を大きな帽子として使用する事も出来る  但しこの場合視界部分は透明なビニールでなければならない。
【０００７】〔発明の効果〕  以上の様な風船傘は通常の金属の骨も柄もなく危険性は2005312884.tif 000003
も入る大きさで置き忘れも少なくなります。骨の傘と違い風によっても曲がっても折れたりこわれたりする事もありません．又、骨がない為に自分の好きな写真や絵をプリントする事も可能で世界に一つしかないオンリーワンの傘としての特徴もあり、風船と言う楽しいイメージの遊び感覚の商品でもあります。
【図面の簡単な説明】
【図１】本発明の正面図
【図２】本発明の裏平面図
【図３】本発明の裏斜面図
【図４】本発明の柄の図
【符号の説明】
１、布又はビニール  ２、柄  ３、紐（傘と柄の安定させる為の）  ４、輪  ５、天部補強と（６）の紐を取り着ける布又はビニール  ６、紐（傘に柄を取り着ける為の）  ７  柄の輪  ８  リング状風船  ９  リング状風船として固定させてつないだ部分１０  空気の注入及び排出孔
【図１】
2005312884.tif 000004
【図２】
2005312884.tif 000005
【図３】
2005312884.tif 000006
【図４】
2005312884.tif 000007